(57)【特許請求の範囲】
【請求項１】
光再帰性反射体の組合せで鉛直に立設された筒形や屏風形で、水平断面を略階段状に構成すると共に、正面を向いている複数の反射体が平行となるように構成してなる交通安全標識物。
【請求項２】
光再帰性反射体の組合せで鉛直に立設された筒形や屏風形で、水平断面を略階段状に構成すると共に、正面から見て両側面となる複数の反射体が平行となるように構成してなる交通安全標識物。
【発明の詳細な説明】
【技術分野】
【０００１】
本発明は、道路の中央分離帯、分流部等に設置され、交通安全に供される標識物に関して、反射体を成形部材などによって、その断面が略階段状になるように組付けし、全体として筒形や屏風形に構成することで、視線誘導効果の高い交通安全標識物を提供せんとするものである。ここでいう略階段状とは、階段でいう蹴上げ部分が斜面であったり、垂直面と斜面の組合せであっても、略階段状と呼ぶことにした。
【背景技術】
【０００２】
従来から、道路の各所に設置される各種交通安全標識物は、車両のドライバーの視線に入りやすい場所に設置されていることもあって、交通安全上非常に効果があり、全国のいたるところの高速道路や、一般道路などに広く設置されている。この標識物の多くは、金属やプラスチックス製の曲率を持つ板材や成形材に反射材を取付ける形で製作されている。
【０００３】
しかしながら、交通安全上最も目立ちやすい場所に設置し、その効果を上げるためには、通過する走行車両に抵抗が少ないように、例えば中央分離帯に設置する場合は、そのノーズの形状に添う形で構成するとともに、反射体がより性能を発揮できるように構成しておく必要がある。
【０００４】
参考実施例として、高さが２５０ミリメートルから５００ミリメートルで、金属やプラスチックス板にプラスチックス製の反射器を８枚から３０枚程度を取付け、現場で２００ミリメートルから４００ミリメートルの曲率半径で、図３のように半円筒形に曲げて設置される標識物が多く使用されている。この製品は、どの角度からヘッドライトの光が当たっても、ほぼ同様の性能の再帰性反射をするということで広く普及している。
【発明の開示】
【発明が解決しようとする課題】
【０００５】
中央分離帯によく設置されている図３のような中央分離帯用の交通安全標識物は、プラスチックスや金属製の板を、中央分離帯のノーズ部の形状に合わせ、出来るだけ抵抗の無いように、円筒形や半円筒形に折り曲げ、その周りに反射器を複数個取付けている。
【０００６】
これらの構成は、車のヘッドライトがどの向きから当たっても良く反射して、理想的に見えるが、ほとんどの交差点でそうであるように５０メートルから３００メートル遠方からの、ヘッドライトが当たる正面からの反射輝度が最も重要であるにもかかわらず、そのような反射性能を有していない。遠方からのヘッドライトに対して特別良く反射する訳でもないのである
【０００７】
この交通安全標識物は、反射部の高さが１５０ミリメートルで、断面の曲率半径が２００ミリメートルのときは２枚程度、曲率半径を４００ミリメートルとしたときでも正面の４枚程度の反射器しか反射しない。交差点に進入してからの至近距離から、ヘッドライトで光らしたときには、あまり反射しなくても視認出来るのに正面と同じ反射性能となっている。
【０００８】
しかも、５０メートルから３００メートルの遠方からは、反射器の向きが完全に正面を向いていないし、中央部の反射器でも左右に１０度程度の角度がついているので、真正面からの反射性能に対し８０パーセント程度の性能となっている。
【０００９】
昼間は、４００ミリメートルから８００ミリメートルの幅で見える交通安全標識物も夜間になると、遠方からは幅４００ミリメートルのものは２００ミリメートル、幅８００ミリメートルのものは４００ミリメートル程度の幅でしか視認できない。
【００１０】
このことは、ダイヤモンドカットされた反射器は、正面（０度）から２０度ぐらいの入射角までは反射するが、それより入射角が大きくなると殆んど反射しないという性能だからである。
【００１１】
解決しようとする課題は、交通安全に供されている各種光再帰性反射標識物は、ドライバーの視線を考慮して設置されるものであり、その設置場所は、道路の中央分離帯とか、縁石、ガードレール等、特に車両が通行する危険な場所に設置され、昼夜間にかかわらず視認効果の高いものが要求される。
【００１２】
そのような道路環境の中で、昼夜間にわたって交通安全の効果を最大限発揮させる構造とし、簡単に施工ができて、取替えもできる光再帰性反射の交通安全標識物を提供できないかを発明したのである。
【課題を解決するための手段】
【００１３】
上記課題を達成するために、本発明の交通安全標識物は、請求項１では、光再帰性反射体の組合せで鉛直に立設された筒形や屏風形で、水平断面を略階段状に構成すると共に、正面を向いている複数の反射体が平行となるように構成してなる交通安全標識物とした。
【００１４】
本発明の略階段状で、屏風形にした交通安全標識物を５０メートルから３００メートルの遠方から車のヘッドライトで光らせると、図５で示す中央の２枚は勿論のこと、左右の階段状の部分の正面を向いている反射器４枚が同じように良く反射する。実物大でのテストでは、図３による製品との対比で単純に２．２倍程度の反射輝度になったのである。しかも横に幅広く、中央分離帯の幅が良く判るように反射するのである。
【００１５】  正面を向いている複数の反射体が平行となるように構成している、これは光再帰性反射体の組合せで略階段状としても、正面を向いている複数の反射体が同じ方向を向いていないと、遠方からの反射性能が極大化できないので、交通安全標識物としての効果が薄れるからである。ここでいう正面とは、図４のＹからの面をいう。【００１６】
請求項２では、正面から見て両側面となる複数の反射体が平行となるように構成した。側面に構成している複数の反射体が平行となるように構成しておかないと、側面からの車両に対して反射性能が充分でないケースがあり、これもまた交通安全標識物としての効果が薄れるからである。ここでいう側面とは、図４のＸ及びＸ´からの各面をいう。
【００１７】  又、正面から見て両側面となる複数の反射体も平行となるように構成した。  側面に構成している複数の反射体も平行となるように構成しておかないと、側面からの車両に対して反射性能が充分でないケースがあり、これもまた交通安全標識物としての効果が薄れるからである。ここでいう側面とは、図４のＸ及びＸ´からの各面をいう。【００２１】
本発明の交通安全標識物の部材の構成は、厚み１ミリメートルのアルミニウム板を略階段状に折り曲げ、全体として筒形または屏風形に構成する。この略階段状に折り曲げた面に、光再帰性反射させる反射器や反射シートを取付けるのである。また、支柱や基礎などへの取付けのためのＣ形の溝レールを、筒形や屏風形に構成したアルミニウム板の内側に取付けしておくと、取付け部が外面に露出しないので綺麗な製品になる。
【００２２】
反射体は、アルミニウム押出し形材によるＣ型チャンネル状形材に反射器や反射シートを構成すると良い。ダイヤモンドカットされた反射器による場合は、反射器の厚みは２ミリメートルから１０ミリメートル、長さを５０ミリメートルから３００ミリメートル、幅は５０ミリメートルから１５０ミリメートルぐらいが適当で、その時のＣ型チャンネル状形材の断面のサイズは、幅が６０ミリメートルから１６０ミリメートル、厚みは５ミリメートルから２０ミリメートルぐらいが適当である。アルミニウム板を略階段状に折り曲げた各面に、Ｃ型チャンネル状形材を構成するのである。
【００２３】
光再帰性反射させる反射器は、メタアクリル樹脂やポリカーボネート樹脂によるプラスチックス製のダイヤモンドカットされたコーナーキューブによる反射器で、射出成型の金型のダイヤモンドカットされたコーナーキューブの精度で光再帰性反射の性能が決まる。
【００２４】
しかし、この成形物をそのまま装着したのでは、ダイヤモンドカットされた成形物の裏にホコリが入ったり、水が入ったりするので反射性能が落ちてくる。そのために成形物の裏を蓋で密封しておくことが重要なのである。また、反射シートを反射器の代わりに使用しても良い。
【００２５】
このように構成した本発明の交通安全標識物を、前項０００５〜０００７で説明した従来品との反射性能の比較テストを実施した。従来品は、曲率２５０ミリメートルの半円形にし、正面からの幅を５００ミリメートルとした。本発明の交通安全標識物も正面からの幅を５００ミリメートルに合わせて、国土交通省が定めた視線誘導標設置基準の９ページにある、ＪＩＳＤ５５００に規定された反射性の試験装置に準じて試験した。その結果を下記表１に示す。
【００２６】
観測角０．２度の場合は、従来品は入射角０度で約１８００カンデラ／平方メートルで、入射角１０度の場合でも１４８０カンデラ／平方メートルである。それに対して、本発明の交通安全標識物では、入射角０度では３８８０カンデラ／平方メートル、入射角１０度の場合でも３３３０カンデラ／平方メートルである。このことから、入射角０度では、２．１５倍、入射角１０度の場合でも２．２５倍である。このように明らかに大きな差があり、遠方から交差点などの存在や位置を早くから知らせることとなり、交通安全上非常に有効であることが判る。
【表１】
0005342168.tif 000002
【００２７】
しかし、表１にあるように斜め４５度前後の角度からの反射性能が極端に低いという欠点を持っている。しかし交差点に交通安全標識物を設置したとき、斜め４５度前後からのヘッドライトが当たる時は、既に交差点の中に入っている時であり、中央分離帯の先端の位置は充分認識されていて、何ら問題はないのである。
【００２８】
それでも、交差点の中央分離帯の位置が極端に交差点の中にはみ出していたり、交差点の形状が変形であったり、三叉路や五叉路の時には、請求項４で図８のような形にして出来るだけ色々な角度から入るヘッドライトの光にも対応出来る様にした。
【００２９】
反射体を構成するＣ型チャンネル状のアルミニウム押出し形材の断面に、タッピングホールを構成しておくと、上部や下部にステンレスやアルミニウムの板を当てて、このタッピングホールを使って、蓋を取付けることができ、強度も上がり美観も良くなる。
【００３０】
反射体を構成させるＣ型チャンネル状のアルミニウム押出し形材の裏面に直接、Ｃ型の溝レールやタッピングホールを構成しておき、これらを反射体が略階段状になるように向きを整えて、全体として筒形または屏風形となるように構成する。そして、その内側で直接金具等を使って支柱や構造物に取付けても良い。全体として筒形または屏風形に構成するのであるが、部分的に筒形や屏風形に柱状のものが突出したり、陥没したり、斜めになっていても筒形または屏風形と呼ぶことにした。
【００３１】
また、全体として筒形または屏風形の交通安全標識物の右端部裏面にも反射体を構成しておくと、反対車線側から走行してくる車両から交差点の端部の位置確認が容易となる。
【発明の効果】
【００３２】
以上のように、略階段状に構成した反射体は、中央分離帯に設置されたとき、その筒形または屏風形の正面の向きを、中央分離帯の先端のノーズ部に向かって走行してくる車両のヘッドライトの方に向けるのである。この時、交通安全標識物の反射体は、中央部だけでなく、略階段状にした左右の反射体も正面を向いているので、従来品図３の２．２倍程度の反射輝度となる。
【００３３】
また、アルミニウム押出し形材のＣ型チャンネル状部材の背面の一部に、取付け固定用のＣ型の溝レールとタッピングホールを構成しておくことで、支柱や構造部への取付けに際して、Ｃ型の溝レールに５ミリメートルから１２ミリメートルのナットやボルトをスライド挿入でき、直接または色々な金具を介して支柱等に取付けできる。また、タッピングホールは、蓋の取付けや反射体の向きを整えることに使用できる。
【００３４】
本発明による具体的な反射性能は、表１に示す性能である。５０メートルから３００メートル先のほぼ正面からの反射性能試験による反射性能は、従来品が１８００カンデラ／平方メートルに対して３８８０カンデラ／平方メートルと、２倍以上の反射性能を示している。このことは、遠方の正面からでも交差点などの位置をいち早く認識できるので、交通安全上有用となる。
【発明を実施するための最良の形態】
【００３５】
以下、本発明を図により詳細に説明する。図１は、本発明の交通安全標識物を屏風形にした交通安全標識物１の事例の斜視図である。その断面は、１ミリメートル厚のアルミニウム板を折り曲げ加工して、左右３面に反射器４を取付けて略階段状に構成している。上部蓋５ａと下部蓋６ａを上下に取付けして見映えを良くすると共に、全体の強度を上げる。支柱７の下に基礎８を構成する。ここでいう略階段状とは、交通安全標識物の断面は、図４のような形状であったり、図８のような形状のようなものをいう。
【００３６】
その略階段状の段の各面に、略Ｃ型チャンネル状でアルミニウム押出し形材の内部空間に、幅９０ミリメートル、長さ２５０ミリメートルの反射器４を挿入したものをアルミニウム板に固着する。固着させる方法は、耐久性のある両面テープでもいいし、リベットやビス、溶接等で固着させても良い。
【００３７】
図２は、本発明の交通安全標識物を筒形にした交通安全標識物２の斜視図である。その断面が略階段状で四つの凸面を組合せた筒形とし、その周りに幅９０ミリメートルで、長さ２５０ミリメートルの反射器４を３段ずつ挿入し、５００ミリメートルの高さとする。
【００３８】
略階段状で筒形をした１ミリメートル厚のアルミニウム板１３の裏側に、図７のように、高さが１０ミリメートル、幅が２０ミリメートル、断面がＣ型溝レール９でタッピングホール１０を付けたアルミニウム押出し形材を溶接する。例えば取付け金具で、この溝を使って支柱７に取付けする。また、この溝レール９に６ミリメートルのボルトまたはナットを装着しておくと、金具で簡単に支柱７に固着することが出来る。
【００３９】
また、上部や下部に蓋をするために、ステンレス製で１ミリメートルの板材で製作した上部蓋５ｂ、下部蓋６ｂを、図７のアルミニウム押出し形材の断面のタッピングホール１０に３ミリメートルのビスで複数個取付け固着する。そして、支柱７と基礎８と共に現場に施工される。また、コンクリートの基礎の上に、筒形にした交通安全標識物２を取付け金具で直接固定しても何ら差し支えはない。
【００４０】
図３は、従来使用されている一般的な交通安全標識物３である。プラスチックスや金属の板を屏風形に折り曲げ、その周りに反射器４を複数枚取付けている。これらの構成は一見理想的に見えるが、一番大事な５０メートルから３００メートル遠方から反射する反射器４は、交通安全標識物の断面の曲率半径が２００ミリメートルのときは２枚程度、４００ミリメートルのときでも４枚程度しか有効に反射しない。しかも反射器４の向きが正面の反射器４でも完全に中央正面を向いていない、１０度程度角度が左右に振れているので余計に反射性能が悪くなっている。
【００４１】
図４は、本発明の構成で具体的に製品化し、反射器４と組合せて交通安全標識物１とした場合の事例図１の水平断面図である。略階段状に折り曲げられた板状部材１３に反射器４が、車両のヘッドライトの方向Ｙに向けて固着されている。側面からの車両のヘッドライトの方向Ｘ−Ｘ´に対しても反射器４が取付けられている。裏面反射器１１は、反射器４と同じものを使ってもよいが、反射器の向きは反対方向に向ける。
【００４２】
図５は、従来の交通安全標識物図３の水平断面図である。曲率半径２００ミリメートルのプラスチックスや金属製の板材１３のアール曲げされた曲面に反射器４が均一に取付けられているので、反射器４の最も良い反射性能の必要な正面は、その中央で１０度程度の角度が左右に付いた状態で取付けられている。
【００４３】
図６は、Ｃ型チャンネル状のアルミニウム押出し形材と反射器４で構成された反射体部１４の部分斜視図である。
【００４４】
光再帰性反射性能を持つ反射器４は、耐候性が吟味されたポリカーボネート樹脂製の射出成型によるものが適当で、その裏側にホコリや水の浸入を防ぐための蓋１５を固着する。この時、Ｃ型チャンネル状アルミニウム押出し形材の反射体部１４の端部の枠１２から反射器４が抜け出ないような構造や寸法にして挿入固着する。タッピングホール１０は上部や下部に蓋を取付ける際に使用される。
【００４５】
図７は、アルミニウム板１３にアルミニウム押出し形材でタッピングホール付きのＣ型溝レール９を構成した部分斜視図である。アルミニウム板１３に溶接や両面テープで固着される。
【００４６】
図８は、図４と同様、反射器４の組合せで交通安全標識物１とした場合の事例の水平の断面図である。略階段状に折り曲げられた板状部材に反射器４が固着されている。裏面反射器１１は、反射器４と同じものを使ってもよいが、裏面反射器１１の反射器の向きは、この部分だけ反対方向に向けられている。
【００４７】
略階段状の蹴上げとなる部分に、斜めの部分と鉛直の部分を組合せて構成している。これは斜めの部分の正面の方向から数十メートル遠方の先から車両が進入するような三叉路や、広い交差点など、特別な交差点に効果的な交通安全標識物となる。
【図面の簡単な説明】
【００４８】
【図１】本発明屏風形交通安全標識物の斜視図
【図２】本発明筒形交通安全標識物の斜視図
【図３】従来の交通安全標識物の斜視図
【図４】本発明交通安全標識物の代表的な水平断面図
【図５】従来の交通安全標識物の代表的な水平断面図
【図６】反射体部の部分斜視図である。
【図７】アルミニウム板材にタッピングホールとＣ型溝レール付きアルミニウム押出し形材を構成した部分斜視図である。
【図８】本発明の略階段状の断面を屏風形にした交通安全標識物の斜視図
【符号の説明】
【００４９】
１      本発明屏風形交通安全標識物
２      本発明筒形交通安全標識物
３      従来の交通安全標識物
４      反射器
５ａ    上部蓋
５ｂ    上部蓋
６ａ    下部蓋
６ｂ    下部蓋
７      支柱
８      基礎
９      Ｃ型溝レール
１０    タッピングホール  
１１    裏面反射器
１２    枠
１３    板
１４    反射体部
１５    蓋
【図１】
0005342168.tif 000003
【図２】
0005342168.tif 000004
【図３】
0005342168.tif 000005
【図４】
0005342168.tif 000006
【図５】
0005342168.tif 000007
【図６】
0005342168.tif 000008
【図７】
0005342168.tif 000009
【図８】
0005342168.tif 000010